(57)【要約】【課題】チェンジャ装置に収容された記録媒体のイジェクトを容易にする。【解決手段】イジェクトされるディスクがユーザにより選択される。選択されたディスクが収容されたラックをロータリートレイ１０１の回転によりローディング位置まで移動し、ディスクを一旦再生部１０３に収容する。そして、他のラックよりも両隣との間隔が広く構成されているイジェクト専用ラック１０７をアンローディング位置まで移動し、再生部１０３に収容されたディスクをイジェクト専用ラック１０７に収容する。その後、イジェクト専用ラック１０７をディスク交換口１０８に対向する位置まで移動し、ディスクをイジェクトする。【選択図】図２
2005085408.tif 000002
【特許請求の範囲】
【請求項１】
複数の記録媒体を収容するための複数のラックが放射状に設けられた収容部を備えたチェンジャ装置であって、
前記収容部の前記複数のラックのうち、ラック間が広く構成されたイジェクト専用ラックと、
前記記録媒体のイジェクト命令を検出するイジェクト命令検出手段と、
前記イジェクト命令検出手段により検出されたイジェクト命令に係る記録媒体を前記イジェクト専用ラックに収容させるイジェクト制御手段と、
を備えたことを特徴とするチェンジャ装置。
【請求項２】
複数の記録媒体を収容するための複数のラックが放射状に設けられた収容部を備えたチェンジャ装置であって、
前記収容部の前記複数のラックのうち、ラック間が広く構成されたイジェクト専用ラックと、
前記ラックに収容された記録媒体を前記記録媒体の再生処理を行う再生位置まで移動させる記録媒体ローディング手段と、
前記再生位置にある記録媒体を前記ラックに移動させる記録媒体アンローディング手段と、
前記収容部を回転駆動して所定の記録媒体を前記記録媒体ローディング手段及び／又は前記記録媒体アンローディング手段に対向させる収容部駆動手段と、
前記記録媒体のイジェクト命令を検出するイジェクト命令検出手段と、
前記イジェクト命令検出手段により検出されたイジェクト命令に係る記録媒体を前記記録媒体ローディング手段に対向させ、前記記録媒体ローディング手段に対向させた記録媒体を前記再生位置まで移動させ、前記収容部を駆動して前記イジェクト専用ラックを前記記録媒体アンローディング手段に対向させ、前記再生位置にある記録媒体を前記イジェクト専用ラックに収容させる制御手段と、
を備えたことを特徴とするチェンジャ装置。
【請求項３】
複数の記録媒体を収容する複数のチェンジャ装置と、
前記複数のチェンジャ装置と直列的又は並列的に接続され、前記複数のチェンジャ装置に収容された記録媒体のイジェクトを指示する制御装置と、
からなる記録媒体制御システムであって、
前記複数のチェンジャ装置は、それぞれ、
複数の記録媒体を収容するための複数のラックが放射状に設けられた収容部と、
前記収容部の前記複数のラックのうち、ラック間が広く構成されたイジェクト専用ラックと、
前記記録媒体のイジェクト命令を検出するイジェクト命令検出手段と、
前記イジェクト命令検出手段により検出されたイジェクト命令に係る記録媒体を前記イジェクト専用ラックに収容させるイジェクト制御手段と、
を備え、
前記制御装置は、
前記複数のチェンジャ装置のそれぞれに収容された記録媒体を一体的に管理する管理手段と、
前記管理手段により管理される情報に基づいて記録媒体のイジェクト指示を出力するイジェクト指示手段と、
前記イジェクト指示に係る記録媒体が収容されるチェンジャ装置とラックを識別する識別手段と、
前記識別手段の識別結果に基づいてイジェクト命令を出力するイジェクト命令出力手段と、
を備え、
前記チェンジャ装置は、受信したイジェクト命令が自機に関すると判断すると、イジェクト命令に対応するラックに係る記録媒体を前記イジェクト専用ラックに収容させることを特徴とする記録媒体制御システム。
【発明の詳細な説明】
【技術分野】
【０００１】
本発明は、チェンジャ装置及び記録媒体制御システムに関する。
【背景技術】
【０００２】
従来、ＣＤ（Compact Disc）やＤＶＤ（Digital Versatile Disc）等のディスク状記録媒体を複数枚収容し、個々のディスクを選択的に再生可能なチェンジャ装置が提供されている。
【０００３】
例えば、回転盤上に放射状に複数のディスクを立てた状態で収容するロータリートレイ方式のチェンジャ装置が知られている（例えば、特許文献１参照。）。
【０００４】
チェンジャ装置に収容されているディスクを取り出す（以下、イジェクトという。）際には、希望のディスクが交換口に対向する位置になるようにロータリートレイを回転させ、交換口からディスクをイジェクトする。
【特許文献１】特開２０００−２２２８０８号公報
【発明の開示】
【発明が解決しようとする課題】
【０００５】
しかしながら、チェンジャ装置に多数のディスクが収容されている場合には（例えば、４００枚）、所望するディスクのイジェクト作業が困難であった。
【０００６】
本発明は、記録媒体を容易にイジェクトすることが可能なチェンジャ装置及び記録媒体制御システムを提供することを課題とする。
【課題を解決するための手段】
【０００７】
請求項１に記載の発明は、複数の記録媒体を収容するための複数のラックが放射状に設けられた収容部を備えたチェンジャ装置であって、前記収容部の前記複数のラックのうち、ラック間が広く構成されたイジェクト専用ラックと、前記記録媒体のイジェクト命令を検出するイジェクト命令検出手段と、前記イジェクト命令検出手段により検出されたイジェクト命令に係る記録媒体を前記イジェクト専用ラックに収容させるイジェクト制御手段と、を備えたことを特徴としている。
【０００８】
請求項２に記載の発明は、複数の記録媒体を収容するための複数のラックが放射状に設けられた収容部を備えたチェンジャ装置であって、前記収容部の前記複数のラックのうち、ラック間が広く構成されたイジェクト専用ラックと、前記ラックに収容された記録媒体を前記記録媒体の再生処理を行う再生位置まで移動させる記録媒体ローディング手段と、前記再生位置にある記録媒体を前記ラックに移動させる記録媒体アンローディング手段と、前記収容部を回転駆動して所定の記録媒体を前記記録媒体ローディング手段及び／又は前記記録媒体アンローディング手段に対向させる収容部駆動手段と、前記記録媒体のイジェクト命令を検出するイジェクト命令検出手段と、前記イジェクト命令検出手段により検出されたイジェクト命令に係る記録媒体を前記記録媒体ローディング手段に対向させ、前記記録媒体ローディング手段に対向させた記録媒体を前記再生位置まで移動させ、前記収容部を駆動して前記イジェクト専用ラックを前記記録媒体アンローディング手段に対向させ、前記再生位置にある記録媒体を前記イジェクト専用ラックに収容させる制御手段と、を備えたことを特徴としている。
【０００９】
請求項３に記載の発明は、複数の記録媒体を収容する複数のチェンジャ装置と、前記複数のチェンジャ装置と直列的又は並列的に接続され、前記複数のチェンジャ装置に収容された記録媒体のイジェクトを指示する制御装置と、からなる記録媒体制御システムであって、前記複数のチェンジャ装置は、それぞれ、複数の記録媒体を収容するための複数のラックが放射状に設けられた収容部と、前記収容部の前記複数のラックのうち、ラック間が広く構成されたイジェクト専用ラックと、前記記録媒体のイジェクト命令を検出するイジェクト命令検出手段と、前記イジェクト命令検出手段により検出されたイジェクト命令に係る記録媒体を前記イジェクト専用ラックに収容させるイジェクト制御手段と、を備え、前記制御装置は、前記複数のチェンジャ装置のそれぞれに収容された記録媒体を一体的に管理する管理手段と、前記管理手段により管理される情報に基づいて記録媒体のイジェクト指示を出力するイジェクト指示手段と、前記イジェクト指示に係る記録媒体が収容されるチェンジャ装置とラックを識別する識別手段と、前記識別手段の識別結果に基づいてイジェクト命令を出力するイジェクト命令出力手段と、を備え、前記チェンジャ装置は、受信したイジェクト命令が自機に関すると判断すると、イジェクト命令に対応するラックに係る記録媒体を前記イジェクト専用ラックに収容させることを特徴としている。
【発明の効果】
【００１０】
本発明によれば、チェンジャ装置から記録媒体を容易にイジェクトすることができる。
【発明を実施するための最良の形態】
【００１１】
以下、図面を参照して記録媒体制御システム１について詳細に説明する。
まず、図１を参照して記録媒体制御システム１の構成について説明する。記録媒体制御システム１は、ディスクチェンジャ装置１０ａ，１０ｂ，１０ｃ、制御装置２０、子機３０ａ，３０ｂ，・・・を備える。
【００１２】
ディスクチェンジャ装置１０ａ，１０ｂ，１０ｃ、制御装置２０は、例えばユーザの自宅の居間等のメインルームに、接続線２（例えば、ＲＳ−２３２ＣやＩＥＥＥ１３９４等に基づくデータ伝送を行う。）を介して直列的に接続されて各々設置されている。これは少なくとも制御信号を伝送可能であれば足り、音声信号や映像信号は他の接続線（ＲＣＡコードや無線ＬＡＮ（ＩＥＥＥ８０２．１１ｂ等）等）で伝送されるようにしてもよい。
【００１３】
ディスクチェンジャ装置１０ａ，１０ｂ，１０ｃにはそれぞれ機器ＩＤが設定されている。ディスクチェンジャ装置１０ａ，１０ｂ，１０ｃは、制御装置２０から送信される各種制御データが自機に対するものであるか否かを、この制御データに含まれる機器ＩＤを示すデータを参照して判定する。
【００１４】
制御装置２０は、制御装置２０に対して指示される各種指示、又は、子機３０ａ，３０ｂ等から送信される各種指示に応じて、ディスクチェンジャ装置１０ａ，１０ｂ，１０ｃを制御してデータの送受信を行う。
【００１５】
子機３０ａ，３０ｂ，・・・は、例えば子供部屋やベッドルーム等のサブルームに例えば１台ずつ設置され、それぞれ、接続線３（例えば、自宅の電話回線やＬＡＮ回線、無線ＬＡＮ等であってもよい。）を介して制御装置２０に接続されている。子機３０ａ，３０ｂ，・・・は、ディスクチェンジャ装置１０ａ，１０ｂ，１０ｃ、制御装置２０の動作を制御するための信号を制御装置２０に送信可能となっている。
【００１６】
次に、ディスクチェンジャ装置１０ａ，１０ｂ，１０ｃ、制御装置２０、子機３０ａ，３０ｂの各々について詳細に説明する。
【００１７】
まず、図２及び図３を参照してディスクチェンジャ装置１０ａについて詳細に説明する。
ディスクチェンジャ装置１０ｂ，１０ｃについては、ディスクチェンジャ装置１０ａと同じ構成であるため、以下、簡略化のため図示及び説明を省略する。
【００１８】
ディスクチェンジャ装置１０ａは、例えば４００枚のディスク（ＣＤやＤＶＤ等。）を収容することができるものとするが、収容可能なディスク枚数は４００枚に限らない。また、ディスクチェンジャ装置１０ａに収容される各ディスクには、ＴＯＣ（Table Of Contents）情報、ディスクコード（ディスク製造元、カタログ番号等の情報。）、ディスクタイトル、トラックタイトル等のテキストデータ（以下、ディスク関連データという。）に加え、音声や画像等のコンテンツデータ等が記録されている。
【００１９】
ディスクチェンジャ装置１０ａは、例えば、後述するロータリートレイ１０１にディスクが収容された際や、制御装置２０がリセットされた際等に、ロータリートレイ１０１に収容されているディスクのディスク関連データを読み取って制御装置２０に送信する。また、ディスクチェンジャ装置１０ａは、制御装置２０から指定されたディスクのコンテンツデータを読み取って制御装置２０に送信する。
【００２０】
また、ディスクチェンジャ装置１０ａは、ディスクから読み取ったコンテンツデータを、デコード処理せずに制御装置２０に送信する。これにより、送信速度が向上するが、ディスクチェンジャ装置１０ａは、読み取ったコンテンツデータを、自機でデコードした後に制御装置２０に送信するようにしてもよい。
【００２１】
ディスクチェンジャ装置１０ａの概略構成を図２に示す。
図２（ａ）は、ディスクチェンジャ装置１０ａの上面図である。
図２（ａ）に示すように、ディスクチェンジャ装置１０ａには、ロータリートレイ１０１、ローディング機構部１０２、再生部１０３、シャッター１０４、イジェクト部１０５等が基板１０６上に設置されている。
【００２２】
ロータリートレイ１０１は、放射状に設けられた４００個のラックを備え、これらラック上にディスクを立てた状態で保持して収容するものであり、基板１０６の略中央部に設置される。また、ロータリートレイ１０１は、図２（ａ）の矢印Ａ方向に回転可能となっている。また、４００個のラックのうち、連続した複数のラックがイジェクト専用ラック１０７として設定されている。イジェクト専用ラック１０７は、ロータリートレイ１０１に備えられた他のラックよりも両隣との間隔が広く構成されている。
【００２３】
ローディング機構部１０２は、図２（ａ）の矢印Ｂに示すように、再生部１０３に対向するローディング位置にあるラック上のディスクを１枚引き出し、このディスクを再生部１０３にセットし（ローディング）、また、再生部１０３にあるディスクを再び元のラックに収容する（アンローディング）。また、ローディング機構部１０２は、ディスクのイジェクト処理の際に、各ラックに収容されているディスクを一旦再生部１０３に収容し（ローディング）、イジェクト専用ラック１０７に移動する（アンローディング）。
【００２４】
再生部１０３は、ディスクに記録された音声や画像等のコンテンツデータを読み出す再生処理を行う。
【００２５】
シャッター１０４は、図２（ａ）の矢印Ｃ方向に開閉動作を行う。図２（ｂ）は、シャッター１０４が開いた状態のディスクチェンジャ装置１０ａの正面図である。シャッター１０４が開くことにより生じた開口部（以下、ディスク交換口１０８という。）からディスクの出し入れを行う。
【００２６】
イジェクト部１０５は、ラックに載置されたディスクをディスク交換口１０８からイジェクト可能なように処理する。ディスクを取り出しやすいように、必要に応じてディスクを持ち上げる等の処理を行ってもよい。
【００２７】
次に、図３を参照して、ディスクチェンジャ装置１０ａの制御系の構成について詳細に説明する。
【００２８】
図３に示すように、ディスクチェンジャ装置１０ａは、マイクロコンピュータ１０９、入力部１１０、表示部１１１、ラック位置検出センサ１１２、ディスク有無検出センサ１１３、ロータリートレイ制御モータ１１４、シャッター開閉制御モータ１１５、ローディング機構制御モータ１１６、Ｉ／Ｆ１１７、ＤＳＰ１１８、ピックアップユニット１１９等を備える。
【００２９】
マイクロコンピュータ１０９は、図示しないＣＰＵ（Central Processing Unit）、ＲＯＭ（Read Only Memory）、ＲＡＭ（Random Access Memory）を備え、ディスクチェンジャ装置１０ａを統括的に制御する。このＲＯＭには、ディスクチェンジャ装置１０ａを制御するための主制御プログラムや、このプログラムに係る各種アプリケーションプログラムが格納され、ＲＡＭには、これら各種プログラムの実行ファイルやその実行に際して生じる各種データ等が一時的に格納される。
【００３０】
マイクロコンピュータ１０９は、制御装置２０から接続線２を介して送信される各種指示信号又は入力部１１０を介して入力される各種操作信号に応じて、ロータリートレイ１０１の回転動作、シャッター１０４の開閉動作、ローディング機構部１０２のローディング／アンローディング動作、あるいはディスクがセットされた再生部１０３が行う再生処理等の制御を行う。例えば、マイクロコンピュータ１０９は、制御装置２０から送信されるイジェクト命令が自機に関するものであることを検出すると、ロータリートレイ制御モータ１１４、ローディング機構制御モータ１１６等を制御して、イジェクトの対象となるディスクをイジェクト専用ラック１０７に収容させる。すなわち、マイクロコンピュータ１０９は、イジェクト命令検出手段及びイジェクト制御手段として機能する。
【００３１】
マイクロコンピュータ１０９は、ラック位置検出センサ１１２及びディスク有無検出センサ１１３の各出力信号に基づいて、ロータリートレイ１０１の位置及びラック上のディスクの有無を検出する。
【００３２】
入力部１１０は、ディスクチェンジャ装置１０ａの操作に係る各種操作キーや操作ダイアル等を備える。そして、これら操作キーや操作ダイアルが操作されると、当該操作信号はマイクロコンピュータ１０９に入力される。
【００３３】
表示部１１１は、ＬＣＤ（Liquid Crystal Display）等の表示装置を有し、マイクロコンピュータ１０９から送信される各種表示データを表示する。例えば、再生中ディスクのトラック番号や、再生中ディスクのＴＯＣデータ、あるいはディスクチェンジャ装置１０ａの各種動作モード（回転移動中、あるいはディスク検索中等）や、シャッター１０４の開閉状態等を表示する。
【００３４】
ラック位置検出センサ１１２は、各ラックに対応する切り欠きを光学的検出手段を用いて検出し、ロータリートレイ１０１の位置を特定する際に用いる信号を、マイクロコンピュータ１０９に出力する。これにより、ロータリートレイ１０１の各ラックの位置が特定可能となる。
【００３５】
ディスク有無検出センサ１１３は、ラック上のディスクの有無を示す検出信号をマイクロコンピュータ１０９に出力する。
【００３６】
ロータリートレイ制御モータ１１４は、マイクロコンピュータ１０９から送信される制御信号に基づいて、ロータリートレイ１０１を回転させる為の駆動を行う収容部駆動手段として機能する。
【００３７】
シャッター開閉制御モータ１１５は、マイクロコンピュータ１０９から送信される制御信号に基づいて、シャッター１０４を開閉する為の駆動を行う。
【００３８】
ローディング機構制御モータ１１６は、マイクロコンピュータ１０９から送信される制御信号に基づいて、ローディング機構部１０２を動作させる為の駆動を行う。
【００３９】
Ｉ／Ｆ１１７は、接続線２を介して制御装置２０及びディスクチェンジャ装置１０ｂ，１０ｃとの間でデータの送受信を行うためのインターフェース（例えば、ＲＳ−２３２ＣやＩＥＥＥ１３９４等のシリアルインターフェース等。）を備える。
【００４０】
ＤＳＰ（Digital Signal Processor）１１８は、ピックアップユニット１１９から出力されるコンテンツデータをマイクロコンピュータ１０９が処理可能なデータ形式に高速変換し、マイクロコンピュータ１０９に送信する。
【００４１】
ピックアップユニット１１９は、再生部１０３にセットされたディスクに予め記録されているディスク関連データ及びコンテンツデータ等を読み出す。
【００４２】
次に、図４を参照して制御装置２０について説明する。
制御装置２０は、マイクロコンピュータ２０１、Ｉ／Ｆ２０２、通信部２０３、ＨＤＤ２０４、デコーダ２０５、出力部２０６、表示部２０７、入力部２０８等を備えて構成される。
【００４３】
マイクロコンピュータ２０１は、図示しないＣＰＵやＲＯＭ、ＲＡＭを備え、制御装置２０を統括的に制御する。このＲＯＭには、制御装置２０を制御するための主制御プログラムや、このプログラムに係る各種アプリケーションプログラムが格納され、ＲＡＭには、これら各種プログラムの実行ファイルやその実行に際して生じる各種データ等が一時的に格納される。
【００４４】
マイクロコンピュータ２０１は、ディスクチェンジャ装置１０ａ，１０ｂ，１０ｃにより読み取った各ディスクのディスク関連データをＨＤＤ２０４に格納する。この際、マイクロコンピュータ２０１は、当該ディスク関連データに基づき、ディスクチェンジャ装置１０ａ，１０ｂ，１０ｃに現在収容中のディスクのリストデータを作成してＨＤＤ２０４に格納する。すなわち、マイクロコンピュータ２０１は、各ディスクチェンジャ装置１０ａ，１０ｂ，１０ｃに収容されたディスクを一体的に管理する管理手段としての機能を有する。
【００４５】
マイクロコンピュータ２０１は、入力された指示に応じて、上記リストデータの内容を表示部２０７にリスト表示させる。さらに、マイクロコンピュータ２０１は、当該リスト表示を、ディスク関連データの詳細内容（例えば、ディスクが収容されているディスクチェンジャ装置１０ａ，１０ｂ，１０ｃの機器ＩＤや、ディスク名あるいは曲名の頭文字等。）をキーにしてソートする機能を有する。また、入力された曲名（あるいは、その一部。）に合致する曲が記録されたディスクをリストデータに基づいて検索（文字検索）し、当該検索結果（ディスク番号、ディスク名等。）を表示する機能も有する。これにより、ユーザは、自分好みの順序でディスクのリスト表示が可能となり、ディスクの選択が容易となる。
【００４６】
ディスク番号とは、ディスクチェンジャ装置１０ａ，１０ｂ，１０ｃに収容されている各ディスクに対応する識別番号であって、例えば、１〜１２００の通し番号である。ソート機能及び検索機能において、１２００枚収容可能な１台のチェンジャ装置を使用する場合と同様にソート及び検索を行うことができるので、ユーザは３台のディスクチェンジャ装置１０ａ，１０ｂ，１０ｃが接続されていることを意識せずに各ディスクを選択することができる。ここで、ディスク番号１〜４００はディスクチェンジャ装置１０ａのラック番号１〜４００のラックにそれぞれ収容されているディスクに対応し、ディスク番号４０１〜８００はディスクチェンジャ装置１０ｂのラック番号１〜４００のラックにそれぞれ収容されているディスクに対応し、ディスク番号８０１〜１２００はディスクチェンジャ装置１０ｃのラック番号１〜４００のラックにそれぞれ収容されているディスクに対応している。
【００４７】
マイクロコンピュータ２０１は、再生処理、イジェクト処理等のディスク操作の際に、ディスクチェンジャ装置１０ａ，１０ｂ，１０ｃに対してディスクを選択する等の指示を行う。例えば、ディスク操作を行うディスクチェンジャ装置１０ａ，１０ｂ，１０ｃの機器ＩＤとともに、制御指示の内容（「ラック番号○○のディスクのトラック○○曲目を再生」、「再生停止」、「ラック番号○○のディスクをイジェクト」等。）を送信する。すなわち、マイクロコンピュータ２０１は、イジェクトの対象となるディスクが収容されるディスクチェンジャ装置とラック番号を識別する識別手段と、その識別結果に基づいてイジェクト命令を出力するイジェクト命令出力手段として機能する。
【００４８】
マイクロコンピュータ２０１は、ディスクチェンジャ装置１０ａ，１０ｂ，１０ｃから取得したコンテンツデータを、自機で再生（表示部２０７に表示させる、あるいは、出力部２０６に放音させる等。）する場合には、当該コンテンツデータをデコーダ２０５にデコードさせ、自機で再生しない場合（すなわち、子機３０ａ，３０ｂで再生する場合）には、当該コンテンツデータをデコードせずに子機３０ａ，３０ｂに送信する。
【００４９】
Ｉ／Ｆ２０２は、接続線２を介してディスクチェンジャ装置１０ａ，１０ｂ，１０ｃとの間でデータの送受信を行うためのインターフェース（例えば、ＲＳ−２３２ＣやＩＥＥＥ１３９４等のシリアルインターフェース等。）を備える。
【００５０】
通信部２０３は、接続線３を介して子機３０ａ，３０ｂとの間でデータの送受信を行うためのインターフェース（例えば、ＨＰＮＡ（Home Phoneline Network Alliance）等に応じたインターフェース。）を備える。
【００５１】
ＨＤＤ（Hard Disk Drive）２０４は、読み出し／書き込み自在な記憶デバイスであり、各種データが格納される。
【００５２】
デコーダ２０５は、ディスクチェンジャ装置１０ａ，１０ｂ，１０ｃから送信されるコンテンツデータを、当該コンテンツデータの各データ形式（例えば、ＰＣＭ（Pulse Code Modulation）、ＡＣ−３（Audio Code number 3）、ＭＰ３（MPEG Audio Layer-3）、ＷＭＡ（Windows（登録商標） Media Audio）、ＭＩＤＩ（Musical Instrument Digital Interface）形式、ＭＰＥＧ２（Moving Picture Experts Group-2）形式、ＭＰＥＧ４形式等。）に応じてデコードする。
【００５３】
出力部２０６は、スピーカ（あるいは、複数のスピーカから成るスピーカシステム等。）を備え、マイクロコンピュータ２０１から送信される各種音声データ（例えば、デコードされたコンテンツデータの内容等。）をアナログ信号に変換、増幅して上記スピーカから放音する。また、出力部２０６は、各種サラウンド設定（例えば、５．１チャンネル。）に対応したものとなっている。
【００５４】
表示部２０７は、ＬＣＤ（Liquid Crystal Display）やプラズマディスプレイ等の表示装置を備え、マイクロコンピュータ２０１から送信される各種表示データ（例えば、動画や静止画等、デコードされたコンテンツデータの内容等。）を当該表示装置に表示する。
【００５５】
入力部２０８は、制御装置２０、ディスクチェンジャ装置１０ａ，１０ｂ，１０ｃを各々制御するための各種指示を入力する入力キーや、指示内容等の選択時に用いるジョグダイアル等を備える。例えば、入力部２０８は、ディスクチェンジャ装置１０ａ，１０ｂ，１０ｃに収容されている所定のディスクに対するイジェクト指示、再生指示をマイクロコンピュータ２０１に出力する。
【００５６】
次に、図５を参照して子機３０ａについて説明する。なお、子機３０ｂは、子機３０ａと同一の構成を有するため、以下、簡略化のため、子機３０ｂについての詳細な説明を省略する。
【００５７】
子機３０ａは、マイクロコンピュータ３０１、通信部３０２、デコーダ３０３、出力部３０４、表示部３０５、入力部３０６等を備えて構成される。
【００５８】
マイクロコンピュータ３０１は、図示しないＣＰＵやＲＯＭ、ＲＡＭを備え、子機３０ａを統括的に制御する。このＲＯＭには、子機３０ａを制御するための主制御プログラムや、このプログラムに係る各種アプリケーションプログラムが格納され、ＲＡＭには、これら各種プログラムの実行ファイルやその実行に際して生じる各種データ等が一時的に格納される。
【００５９】
マイクロコンピュータ３０１は、ディスクチェンジャ装置１０ａ，１０ｂ，１０ｃに現在収容中のディスクを示すリストデータを制御装置２０から受信すると、当該リストデータの内容を表示部３０５に表示させる。
【００６０】
マイクロコンピュータ３０１は、制御装置２０からから受信したコンテンツデータを再生する場合に、当該コンテンツデータをデコーダ３０３にデコードさせる。
【００６１】
通信部３０２は、接続線３を介して制御装置２０との間でデータの送受信を行うためのインターフェース（例えば、ＨＰＮＡ等に応じたインターフェース。）を備える。
【００６２】
デコーダ３０３は、制御装置２０から送信されるコンテンツデータを、当該コンテンツデータの各データ形式（例えば、ＰＣＭ、ＡＣ−３、ＭＰ３、ＷＭＡ、ＭＩＤＩ形式やＭＰＥＧ２形式、ＭＰＥＧ４形式等。）に応じてデコードする。
【００６３】
出力部３０４は、スピーカ（あるいは、複数のスピーカから成るスピーカシステム等。）を備え、マイクロコンピュータ３０１から送信される各種音声データ（例えば、デコードされたコンテンツデータの内容等。）をアナログ信号に変換、増幅して上記スピーカから放音する。また、出力部３０４は、各種サラウンド設定（例えば、５．１チャンネル。）に対応したものとなっている。
【００６４】
表示部３０５は、ＬＣＤ等の表示装置を備え、マイクロコンピュータ３０１から送信される各種表示データを表示する。例えば、表示部３０５は、ディスクチェンジャ装置１０ａ，１０ｂ，１０ｃに収容中のディスク名や曲名等の情報を表示する。
【００６５】
入力部３０６は、制御装置２０、ディスクチェンジャ装置１０ａ，１０ｂ，１０ｃを各々制御するための各種指示を入力する入力キーや、指示内容等の選択時に用いるジョグダイアル等を備える。
【００６６】
なお、子機３０ａは、ＤＶＤ等のコンテンツデータの再生が行えるようにしてもよい。この場合、表示部３０５は、ＬＣＤの他に、プラズマディスプレイ等の大型表示装置を備え、マイクロコンピュータ３０１から送信される各種表示データ（例えば、動画や静止画等、デコードされたコンテンツデータの内容等。）を当該表示装置に表示する。
【００６７】
次に、動作について説明する。
図６は、記録媒体制御システム１における１枚のディスクのイジェクト処理を示すフローチャートである。
まず、ユーザにより、制御装置２０の表示部２０７に表示されるリスト表示画面に従って、入力部２０８から指示が入力され、ディスクチェンジャ装置１０ａ，１０ｂ，１０ｃのいずれかに収容されているディスクのイジェクトが指示される（例えば、ディスク番号６００）（ステップＳ１）。
【００６８】
次に、制御装置２０により、イジェクト指示されたディスクのディスク番号に基づいて、選択されたディスクが収容されるディスクチェンジャ装置の機器ＩＤ及びラック番号が特定され、該当するディスクチェンジャ装置にイジェクト命令が送信される（例えば、ディスクチェンジャ装置１０ｂのラック番号２００が指示される。）（ステップＳ２）。
【００６９】
イジェクト命令を受信したディスクチェンジャ装置では、ロータリートレイ１０１の回転により、選択されたディスクがローディング位置まで移動され、一旦再生部１０３に収容（ローディング）される（ステップＳ３）。
【００７０】
選択されたディスクのローディングが完了すると（ステップＳ４；ＹＥＳ）、ロータリートレイ１０１が回転され、イジェクト専用ラック１０７がアンローディング位置まで移動され、再生部１０３に収容されたディスクがイジェクト専用ラック１０７に収容（アンローディング）される（ステップＳ５）。
【００７１】
そして、アンローディングが完了すると（ステップＳ６；ＹＥＳ）、イジェクト専用ラック１０７がディスク交換口１０８に対向するようにロータリートレイ１０１の回転動作が行われ（ステップＳ７）、シャッター１０４が開かれる。ここで、ユーザにディスクのイジェクトを促すために、例えば、イジェクト専用ラック１０７の各ラックにそれぞれＬＥＤ（Light Emitting Diode）を設け、ディスク交換口１０８の正面に位置するラックのＬＥＤを点灯又は点滅させることとしてもよい。
【００７２】
そして、選択されたディスクがイジェクトされる（ステップＳ８）。イジェクト専用ラック１０７は、他のラックと比較して両隣との間隔が広く構成されているので、ユーザがディスク間に指を入れやすく、ディスクのイジェクトを容易に行うことができる。
【００７３】
次に、複数のディスクのイジェクト処理について説明する。
まず、図７に示すように、ユーザにより、制御装置２０の表示部２０７に表示されるリスト表示画面に従って、入力部２０８から指示が入力され、ディスクチェンジャ装置１０ａ，１０ｂ，１０ｃのいずれかに収容されている複数のディスクのイジェクトが指示される（ステップＳ１１）。
【００７４】
次に、制御装置２０により、イジェクト指示されたディスクのディスク番号に基づいて、選択されたディスクが収容されるディスクチェンジャ装置の機器ＩＤ及びラック番号が特定され、該当するディスクチェンジャ装置にイジェクト命令が送信される（ステップＳ１２）。
【００７５】
イジェクト命令を受信したディスクチェンジャ装置では、ロータリートレイ１０１の回転により、選択されたディスクがローディング位置まで移動され、一旦再生部１０３に収容（ローディング）される（ステップＳ１３）。
【００７６】
選択されたディスクのローディングが完了すると（ステップＳ１４；ＹＥＳ）、ロータリートレイ１０１が回転され、イジェクト専用ラック１０７がアンローディング位置まで移動され、再生部１０３に収容されたディスクがイジェクト専用ラック１０７に収容（アンローディング）される（ステップＳ１５）。
【００７７】
そして、アンローディングが完了すると（ステップＳ１６；ＹＥＳ）、複数のディスクが全てイジェクト専用ラック１０７にアンローディングされたかが判断され（ステップＳ１７）、イジェクト専用ラック１０７にアンローディングされていないディスクがある場合には（ステップＳ１７；ＮＯ）、ステップＳ１２〜Ｓ１６の処理が繰り返される。
【００７８】
全てのディスクがイジェクト専用ラック１０７にアンローディングされた後（ステップＳ１７；ＹＥＳ）、イジェクト専用ラック１０７がディスク交換口１０８に対向するようにロータリートレイ１０１の回転動作が行われ（ステップＳ１８）、シャッター１０４が開かれる。そして、ディスク交換口１０８の正面のディスクがイジェクトされる（ステップＳ１９）。
【００７９】
選択された複数のディスクのイジェクトが完了していない場合には（ステップＳ２０；ＮＯ）、次にイジェクトされるディスクが収容されているイジェクト専用ラック１０７がディスク交換口１０８に対向するようにロータリートレイ１０１の回転動作が行われ（ステップＳ１８）、ディスクがイジェクトされる（ステップＳ１９）。例えば、イジェクト専用ラック１０７の端のラックから順に、ディスク交換口１０８の正面に位置するように、ロータリートレイ１０１の位置が微調整される。このように、選択された複数のディスクのイジェクトが全て完了するまで（ステップＳ２０；ＹＥＳ）、ステップＳ１８〜Ｓ１９の処理が繰り返される。
【００８０】
複数のディスクをイジェクトする際にも、他のラックと比較して両隣との間隔が広く構成されているイジェクト専用ラック１０７へディスクを一旦移動させてから、順次イジェクトさせるので、ディスクのイジェクトを容易に行うことができる。ディスクをイジェクトする順序は、イジェクトを指示された順でもよいし、ラック番号の小さい順でもよい。
【００８１】
なお、本実施の形態における記述は、本発明に係る記録媒体制御システムの一例を示すものであり、これに限定されるものではない。本実施の形態における記録媒体制御システム１の細部構成および詳細動作に関しては、本発明の趣旨を逸脱しない範囲で適宜変更可能である。
【００８２】
例えば、図８に示すように、ディスクのローディング位置／アンローディング位置をディスク交換口１０８に対向する位置にすると、イジェクト専用ラック１０７へディスクを収容した後（アンローディング後）のロータリートレイ１０１の回転制御が不要となり、全体の処理時間が短縮される。通常のディスク再生時にはローディング位置／アンローディング位置がディスク交換口１０８に対向していない方が都合がよい場合には、イジェクト処理のときのみ、再生部１０３及びローディング機構部１０２が回転されるようにしてもよい。
【００８３】
また、本実施の形態では、イジェクト専用ラック１０７に収容された複数のディスクを順次ディスク交換口１０８の正面に移動させて、ディスクを１枚ずつイジェクトすることとしたが、ディスク交換口１０８がイジェクト専用ラック１０７の幅より広い場合には、ディスクを１枚イジェクトする毎にロータリートレイ１０１の回転動作を行わずに、複数のディスクをまとめてイジェクトすることとしてもよい。
【００８４】
また、本実施の形態では、制御装置２０とディスクチェンジャ装置１０ａ，１０ｂ，１０ｃとが直列的に接続されている場合について図示したが、制御装置２０がディスクチェンジャ装置１０ａ，１０ｂ，１０ｃと並列的に接続されていてもかまわない。
【００８５】
また、本実施の形態では、ディスク番号に基づいて、制御装置２０側で、選択されたディスクが収容されているディスクチェンジャ装置を特定することとしたが、ディスク番号を制御装置２０からディスクチェンジャ装置１０ａ，１０ｂ，１０ｃへ送信し、ディスクチェンジャ装置１０ａ，１０ｂ，１０ｃ側で自機に収容されているディスクか否かを順に判断していくこととしてもよい。
【００８６】
また、ディスクチェンジャ装置１０ａ，１０ｂ，１０ｃに収容されるディスクは、ＣＤ、ＤＶＤに加え、ＣＤ―Ｒ（CD-Recordable）やＣＤ―ＲＷ（CD-ReWritable）等に対しても適用可能である。
【００８７】
また、ディスクチェンジャ装置１０ａ，１０ｂ，１０ｃと制御装置２０とを接続する接続線２、又は、子機３０ａ，３０ｂ，・・・と制御装置２０とを接続する接続線３におけるデータの送受信は無線で行うこととしてもよい。
【図面の簡単な説明】
【００８８】
【図１】記録媒体制御システム１の構成図である。
【図２】ディスクチェンジャ装置１０ａの概略構成図である。
【図３】ディスクチェンジャ装置１０ａの制御構成を示すブロック図である。
【図４】制御装置２０の構成を示すブロック図である。
【図５】子機３０ａの構成を示すブロック図である。
【図６】１枚のディスクのイジェクト処理を示すフローチャートである。
【図７】複数のディスクのイジェクト処理を示すフローチャートである。
【図８】ディスクチェンジャ装置１０ａのディスクのローディング位置／アンローディング位置をディスク交換口１０８に対向する位置にした場合の概略構成図である。
【符号の説明】
【００８９】
１  記録媒体制御システム
１０ａ，１０ｂ，１０ｃ  ディスクチェンジャ装置
１０１  ロータリートレイ
１０２  ローディング機構部
１０３  再生部
１０４  シャッター
１０５  イジェクト部
１０６  基板
１０７  イジェクト専用ラック
１０８  ディスク交換口
１０９  マイクロコンピュータ
１１０  入力部
１１１  表示部
１１２  ラック位置検出センサ
１１３  ディスク有無検出センサ
１１４  ロータリートレイ制御モータ
１１５  シャッター開閉制御モータ
１１６  ローディング機構制御モータ
１１７  Ｉ／Ｆ
１１８  ＤＳＰ
１１９  ピックアップユニット
２０  制御装置
２０１  マイクロコンピュータ
２０２  Ｉ／Ｆ
２０３  通信部
２０４  ＨＤＤ
２０５  デコーダ
２０６  出力部
２０７  表示部
２０８  入力部
３０ａ，３０ｂ，・・・  子機
３０１  マイクロコンピュータ
３０２  通信部
３０３  デコーダ
３０４  出力部
３０５  表示部
３０６  入力部
【図１】
2005085408.tif 000003
【図２】
2005085408.tif 000004
【図３】
2005085408.tif 000005
【図４】
2005085408.tif 000006
【図５】
2005085408.tif 000007
【図６】
2005085408.tif 000008
【図７】
2005085408.tif 000009
【図８】
2005085408.tif 000010